(57)【要約】【課題】ヘッドホン等の無線通信機器が故障した場合でも、新しい無線通信機器と容易に交換することを可能にする無線通信装置及び方法を提供する。【解決手段】Bluetooth等を利用する無線通信装置において、送信側マスターであるＢＴ送信機２のＥＥＰＲＯＭ２６に、新規なＢＴヘッドフォン（３ａ、３ｂ）の登録情報を記録し、かつ、不要なＢＴヘッドフォン３ａ、３ｂのいずれかの登録情報をＥＥＰＲＯＭ２６から削除することをメインＣＰＵ２４により実行する。【選択図】    図２
2006222595.tif 000002
【特許請求の範囲】
【請求項１】
送信側の第１の無線通信機器が、
新規な第２の無線通信機器の登録を行う手段と、
不要な第３の無線通信機器の登録情報を削除する手段と
を有することを特徴とする無線通信装置。
【請求項２】
送信側の第１の無線通信機器が、
新規な第２の無線通信機器の登録を行う手段と、
前記第１の無線通信機器により無線通信リンクを一定時間監視する手段と、
該一定時間の経過後、無線通信リンクが確立しない第３の無線通信機器の登録情報を削除する手段と
を有することを特徴とする無線通信装置。
【請求項３】
送信側の第１の無線通信機器が、
新規な第２の無線通信機器の登録を行う手段と、
前記第１の無線通信機器に登録されている第３の無線通信機器の登録情報を登録順に削除する手段と
を有することを特徴とする無線通信装置。
【請求項４】
送信側の第１の無線通信機器が、
問い合わせと検索対象の名前の検索を行う手段と、
応答があった第２の無線通信機器の名前を確認する手段と、
前記第２の無線通信機器の名前が検索対象である名前と一致した場合、該第２の無線通信機器に対し、呼び出しと認証を行い、第２の無線通信機器の登録を行う手段と
を有することを特徴とする無線通信装置。
【請求項５】
送信側の第１の無線通信機器により新規な第２の無線通信機器の登録を行う工程と、
不要な第３の無線通信機器の登録情報を削除する工程と
を有することを特徴とする無線通信方法。
【請求項６】
送信側の第１の無線通信機器により問い合わせと検索対象の名前の検索を行う工程と、
応答があった第２の無線通信機器の名前を確認する工程と、
前記第２の無線通信機器の名前が検索対象である名前と一致した場合、該第２の無線通信機器に対し、呼び出しと認証を行い、第２の無線通信機器の登録を行う工程と
を有することを特徴とする無線通信方法。
【発明の詳細な説明】
【技術分野】
【０００１】
本発明は、Bluetooth無線通信技術等を利用する無線通信装置及び方法に関する。
【背景技術】
【０００２】
下記特許文献１に、オーディオプレーヤとヘッドホン間の邪魔な接続コードを無くすために、Bluetooth無線通信技術（以下、Bluetoothと記す）を利用してオーディオプレーヤとヘッドホンとを接続し、オーディオプレーヤで再生したデジタルの音楽をヘッドホンへ転送するシステムが提案されている。
【０００３】
【特許文献１】特開２００２−１１２３８３号公報
【発明の開示】
【発明が解決しようとする課題】
【０００４】
上記特許文献１においては、Bluetoothを搭載した無線通信機器（以下、Bluetooth機器）であるオーディオプレーヤとヘッドホンを接続するために、どのような方法で登録するかが明言されていない。Bluetooth登録の１つの方法として、オーディオプレーヤとヘッドホンに予めBluetooth情報を記録させておくことも可能である。しかしながら、この場合、仮にヘッドホンが故障して新しい物と交換しようとした場合、ヘッドホンを登録する手段がないため、交換することができないという問題がある。  
本発明の目的は、無線通信機器が故障した場合でも、新しい無線通信機器と容易に交換することができる無線通信装置及び方法を提供することにある。
【課題を解決するための手段】
【０００５】
上記課題を解決するために、本発明は、送信側の無線通信機器が、新規な無線通信機器の登録を行う手段と、不要な無線通信機器の登録情報を削除する手段とを有する、という構成になっている。
【発明の効果】
【０００６】
本発明によれば、無線通信機器が故障した場合でも、新しい無線通信機器と容易に交換することができる。
【発明を実施するための最良の形態】
【０００７】
以下、図面を用いて本発明の実施の形態について詳細に説明する。なお、以下で説明する図面で、同一機能を有するものは同一符号を付け、その繰り返しの説明は省略する。  
Bluetoothは、近距離無線方式の１方式であり、マスター、スレーブという考え方が基本となっている。１つのマスターに対して７つのスレーブが接続可能なピコネットを構成することができる。Bluetooth機器（以下、ＢＴ機器）を使用してBluetooth無線通信を行うには、まず、初めにＢＴ機器どうしをお互いに登録することが必要である。登録動作を開始する側をマスター、登録動作を受け入れる側をスレーブと呼ぶ。この登録されたＢＴ機器どうしのみでBluetooth無線通信が可能となる。また、登録済みのＢＴ機器どうしであれば、お互いの通信エリアに入っただけで無線通信が可能となる。なお、Bluetoothの送信電力は１ｍＷ（電力クラス２の公称出力）であるのが一般的であり、通信距離としては見通しで最大約１０ｍになる。
【０００８】
本発明は、ＨＭＩ（Human Machine Interface）が無いＢＴ機器やＨＭＩの機能が制限されているＢＴ機器の機器登録及び機器交換を実現することができる無線通信装置を提供する。  
《システム構成》
本実施の形態では、例えば自動車の車室内において、ＢＴ機器である送信機（以下、ＢＴ送信機）から音楽データをBluetoothで転送し、ＢＴ機器であるヘッドホン（以下、ＢＴヘッドホン）で聴くシステムの例について説明する。本システムは、車両の後席（２列目席、３列目席）に乗車した人が音楽を聴いたり、映像を見たりするためのシステムである。そのシステムの構成例を図１に示す。
【０００９】
図１において、１はＤＶＤプレイヤ、ＣＤプレイヤ、ナビゲーションシステム等、１００は音楽データ（音声信号）、２はＢＴ送信機（マスター）、２００はBluetoothで送信される音楽データ、３ａ、３ｂはＢＴヘッドホン（ＢＴヘッドホン１、２）（スレーブ）、１３ａ、１３ｂはBluetooth受信部である。
【００１０】
本実施の形態では、インストルメントパネル等に搭載されているＤＶＤプレイヤ、ＣＤプレイヤ、ナビゲーションシステム等１から、ＢＴ送信機２に音声信号１００が出力される。なお、ＢＴ送信機２を置き換えることにより、Bluetooth以外の赤外線やその他の無線を用いるインタフェースに容易に置き換え可能である。ＤＶＤプレイヤ、ＣＤプレイヤ、ナビゲーションシステム等１から、ＢＴ送信機２に音声信号１００のみが出力されているため、ＤＶＤプレイヤ、ＣＤプレイヤ、ナビゲーションシステム等１が持っているＨＭＩを使用してＢＴ送信機２を制御することはできない。また、ＢＴヘッドホン３ａ、３ｂはユーザの使い勝手や重量の問題等により、上記特許文献１にも記載してあるようにユーザが操作するスイッチとしては電源ＯＮ／ＯＦＦ程度のスイッチしか持っていない。
【００１１】
《システムの回路構成》
本システムの回路構成を図２に示す。図２において、２０はＢＴ送信機２のアンテナ、２１はＲＦ（Radio Frequency）部、２２はＢＢ（Base Band）部、２３はBluetooth用ＣＰＵ（Central Processing Unit）、２４はメインＣＰＵ、２５はＲＡＭ（Random Access Memory）、２６はＥＥＰＲＯＭ（Electrically Erasable Programmable Read Only Memory）、２７はＡ／Ｄ（アナログ−デジタル変換）部、３０はＢＴヘッドホン３ａ、３ｂのアンテナ、３１はＲＦ部、３２はＢＢ部、３３はBluetooth用ＣＰＵ、３４はメインＣＰＵ、３５はＲＡＭ、３６はＥＥＰＲＯＭ、３７はＤ／Ａ（デジタル−アナログ変換）部、３８はスピーカ、３９は操作スイッチ部である。
【００１２】
ＢＴ送信機２は、電波を送信／受信するアンテナ２０、Bluetoothの下位レイヤの処理（信号の拡散や変復調等）を行うＲＦ部２１、ＢＢ部２２、Bluetoothの上位レイヤの処理（プロトコル、プロファイル処理等）を行うBluetooth用ＣＰＵ２３、ＢＴ送信機２のアプリケーションの処理を行うメインＣＰＵ２４、ＢＴ機器を動作させるソフトウェア及び各種情報を格納しているメモリであるＲＡＭ２５及びＥＥＰＲＯＭ２６、音声信号をアナログからデジタルに変換するＡ／Ｄ部２７から構成される。
【００１３】
ＢＴヘッドホン３ａ、３ｂは、電波を送信／受信するアンテナ３０、Bluetoothの下位レイヤの処理（信号の拡散や変復調等）を行うＲＦ部３１、ＢＢ部３２、Bluetoothの上位レイヤの処理（プロトコル、プロファイル処理等）を行うBluetooth用ＣＰＵ３３、ＢＴヘッドホン３ａ、３ｂのアプリケーションの処理を行うメインＣＰＵ３４、ＢＴ機器を動作させるソフトウェア及び各種情報を格納しているメモリであるＲＡＭ３５及びＥＥＰＲＯＭ３６、音声信号をデジタルからアナログに変換するＤ／Ａ部３７、音楽データを再生するスピーカ３８、操作スイッチ部３９から構成される。なお、図１のＢＴヘッドホン３ａ、３ｂにおけるBluetooth受信部１３ａ、１３ｂは、図２のアンテナ３０、ＲＦ部３１、ＢＢ部３２に相当する。  
さらに、本実施の形態の場合、Bluetooth用ＣＰＵ２３、３３とメインＣＰＵ２４、３４はそれぞれ別構成としているが、ＣＰＵの処理能力が高ければ、１つのＣＰＵ構成にすることも可能である。
【００１４】
《動作の流れ》
図３に本発明の動作の概要を、図４に本発明のＢＴ機器の登録処理を、図５に本発明のＢＴ機器の接続処理を、図６、７、８に本発明のＢＴ機器の交換処理を示す。図３から図８を用いて本実施の形態の動作を説明する。本実施の形態は、ＢＴ送信機２に２台のＢＴヘッドホン３ａ、３ｂをBluetoothで接続して音楽を聴くシステムである。
【００１５】
〈動作の概要〉
まず、図３により本発明の動作の概要を説明する。ＢＴ送信機２は、ＢＴヘッドホン（図１の３ａ、３ｂ）の登録台数により３つの処理に分かれる。ＡＣＣ−ＯＮ後、Ｓ３１にて、ＢＴヘッドホンの登録台数が判定される。  
Ｓ３１にて、現在、登録されているＢＴヘッドホンの台数が０台の場合、Ｓ３２にて、登録処理（図４）のみを行う。すなわち、ユーザはＢＴ送信機２から問い合わせ（Inquiry）、名前検索（Name Discovery）を行い、検出した未登録ＢＴヘッドホンの登録を行う。
【００１６】
Ｓ３１にて、登録されているＢＴヘッドホンの台数が１台の場合、登録処理（図４）と接続処理（図５）を行う。すなわち、Ｓ３３にて、ＢＴ送信機２から問い合わせ、名前検索を行い、検出した未登録ＢＴヘッドホンの登録を行う。次いで、Ｓ３４にて、ＢＴ送信機２から呼び出し（Page）を行い、登録済みＢＴヘッドホンの接続を行う。
【００１７】
Ｓ３１にて、登録されているＢＴヘッドホンの台数が２台の場合、Ｓ３５にて、接続処理（図５）を行う。すなわち、ＢＴ送信機２から呼び出しを行い、登録済みＢＴヘッドホンの接続を行う。なお、ヘッドホンの故障が生じ、新しい物と交換する場合には、Ｓ３６にて、交換処理（図６、７、８）を行う。この交換処理では、ＢＴ送信機２から問い合わせ、名前検索を行い、検出した未登録ＢＴヘッドホンの登録を行う。その後、交換するＢＴヘッドホンの登録情報の削除を行う。  
なお、ＢＴヘッドホンは電源ＯＮ後、ＢＴ送信機２にまだ登録されていない場合は、登録待ち処理（問い合わせスキャン(Inquiry Scan)）を行い、既に登録されている場合は、接続待ち処理（呼び出しスキャン(Page Scan)）を行う。
【００１８】
〈ＢＴヘッドホンの登録処理〉
図４に従い、ＢＴ機器であるＢＴヘッドホンの登録処理について説明する。ＡＣＣ−ＯＮ後、問い合わせタイマをオンし、Ｓ４１にて、ユーザはＢＴ送信機２において問い合わせと名前検索を行い、ＢＴ送信機２の周辺にあるＢＴ機器の探索を行う。  
次いで、Ｓ４２にて、問い合わせタイマで予め定めた一定時間監視し、一定時間が経過したかどうかを判定する。
【００１９】
Ｓ４２にて一定時間経過しないうちに、Ｓ４３にて、ＢＴ機器から応答があるかどうかを判定する。応答がない場合は、Ｓ４１に戻り、再度、問い合わせと名前検索を行う。Ｓ４２にて一定時間経過した場合で、Ｓ４１の問い合わせによりＢＴヘッドホンが検出できなかった場合、ＢＴヘッドホン以外のＢＴ機器の誤登録を防止するため、問い合わせ（登録処理）を終了する。  
Ｓ４３にてＢＴ機器から応答があると、Ｓ４４にて、Ｓ４１の問い合わせにより検出し、名前検索により取得したＢＴ機器のＢＴデバイス名を確認する。なお、ＢＴデバイス名は、ユーザが任意に付けることができる名称であり、ＢＴ機器１台に対し、１つ付与される。
【００２０】
次いで、Ｓ４５にて、取得したＢＴ機器のＢＴデバイス名が、予めＢＴヘッドホンに割り当てられているＢＴデバイス名であるかどうかを確認する。予めＢＴヘッドホンに割り当てられているＢＴデバイス名でない場合は、Ｓ４１に戻り、再度、問い合わせと名前検索を行う。  
Ｓ４５にて予めＢＴヘッドホンに割り当てられているＢＴデバイス名であった場合、Ｓ４６にて、検出したＢＴヘッドホンに対し、呼び出しと、ＢＴパスキー（ＢＴ  ＰＩＮ）による認証処理を行い、登録が完了となる。
【００２１】
〈ＢＴヘッドホンの接続処理〉
図５に従い、ＢＴヘッドホンの接続処理について説明する。ＡＣＣ−ＯＮ後、Ｓ５１にて、ユーザはＢＴ送信機２において呼び出しを行う。  
Ｓ５２にて、登録済みのＢＴヘッドホンから応答があるかどうかを判定する。応答がない場合は、Ｓ５１に戻り、再度、呼び出しを行う。  
Ｓ５２にて登録済みのＢＴヘッドホンから応答があった場合、Ｓ５３にて、その登録済みＢＴヘッドホンと認証処理を行い、接続が完了となる。
【００２２】
〈ＢＴヘッドホンの交換処理  その１〉
ＢＴ送信機２に既に２台のＢＴヘッドホンが登録されており、仮にヘッドホンが故障して新しい物との交換が必要になった場合に交換処理を行う。交換処理としては、２通りある。まず、第１の方法を図６にて説明する。  
ＡＣＣ−ＯＮ後、Ｓ６１にて、ユーザは図４に従って前述の登録処理を行い、ＢＴ送信機２において３台目のＢＴヘッドホンを登録するため、問い合わせと名前検索を行い、ＢＴ送信機２の周辺にあるＢＴ機器の探索を行う。未登録のＢＴヘッドホンが見つかった場合、ＢＴ送信機２に３台目のＢＴヘッドホンを登録する。  
その後、Ｓ６２にて、ＢＴ送信機２においてBluetoothリンクタイマをオンし、Bluetoothリンクを一定時間監視し、一定時間が経過したかどうかを判定する。  
Ｓ６２にて一定時間が経過してもBluetoothリンクが確立しなかったら、Ｓ６３にて、Bluetoothリンクが確立しないＢＴヘッドホンの登録情報を削除し、交換が完了となる。
【００２３】
〈ＢＴヘッドホンの交換処理  その２〉
第２の方法を図７、８にて説明する。図７は動作の流れ、図８はＢＴ送信機２のメモリ（図２のＥＥＰＲＯＭ２６）の状態を示す。ここでは、２番目に登録されているＢＴヘッドホン（ＢＴヘッドホン２）が故障してそれを交換したい場合について説明する。  
図８（ａ）は、ＢＴヘッドホンを２台登録したＥＥＰＲＯＭ２６の状態を示し、ＥＥＰＲＯＭ２６のメモリアドレス０には、１番目に登録したＢＴヘッドホン１の登録情報が、メモリアドレス１には、２番目に登録したＢＴヘッドホン２の登録情報が記録され、メモリアドレス２には登録情報が記録されておらず空いている。
【００２４】
ＡＣＣ−ＯＮ後、図７のＳ７１にて、ユーザは図４に従って前述の登録処理を行い、ＢＴ送信機２は３台目のＢＴヘッドホンを登録するため、問い合わせと名前検索を行い、ＢＴ送信機２の周辺にあるＢＴ機器の探索を行う。未登録のＢＴヘッドホンが見つかった場合、ＢＴ送信機２に３台目のＢＴヘッドホンを登録する（ここまでは図６の交換処理と同じ）。図８（ｂ）は、このときのＢＴヘッドホンを３台登録したＥＥＰＲＯＭ２６の状態を示し、メモリアドレス２には３台目に登録した新しいＢＴヘッドホン３の登録情報が記録されている。
【００２５】
その後、図７のＳ７２にて、ＢＴ送信機２に保存されている一番古いＢＴヘッドホンの登録情報を削除する。このとき、ＢＴ送信機２に保存されているＢＴヘッドホンの登録情報は２台分となる。図８（ｃ）は、このときの一番古いＢＴヘッドホン１の登録情報を削除したＥＥＰＲＯＭ２６の状態を示し、メモリアドレス０には、２番目に登録したＢＴヘッドホン２の登録情報が、メモリアドレス１には、３番目に登録したＢＴヘッドホン３の登録情報が繰り上がって記録され、メモリアドレス２には登録情報が記録されておらず空いている。
【００２６】
次に、図７のＳ７３にて、ユーザはＢＴ送信機２において、再度、図４に従って前述の登録処理を行い、ＢＴ送信機２に３台目のＢＴヘッドホン（ＢＴヘッドホン１）を登録する。図８（ｄ）は、このときのＢＴヘッドホンを３台登録したＥＥＰＲＯＭ２６の状態を示し、メモリアドレス２には３台目のＢＴヘッドホン１の登録情報が記録されている。
【００２７】
その後、図７のＳ７４にて、ＢＴ送信機２に保存されている一番古いＢＴヘッドホン（故障しているＢＴヘッドホン２）の登録情報を削除する。このとき、ＢＴ送信機２に保存されているＢＴヘッドホンの登録情報は２台分となる。図８（ｅ）は、このときの一番古いＢＴヘッドホン２の登録情報を削除したＥＥＰＲＯＭ２６の状態を示し、メモリアドレス０には、ＢＴヘッドホン３の登録情報が、メモリアドレス１には、ＢＴヘッドホン１の登録情報が繰り上がって記録され、メモリアドレス２には登録情報が記録されておらず空いている。  
このような交換処理により、故障していたＢＴヘッドホン２の登録情報が削除され、新しいＢＴヘッドホン３と故障していないもとのＢＴヘッドホン１が登録された状態となる。  
なお、１番目に登録したＢＴヘッドホン１が故障してそれを交換したい場合は、図７のＳ７１、Ｓ７２（図８（ａ）〜（ｃ））の処理のみ行う。
【００２８】
以上説明したごとく本実施の形態の無線通信装置は、図６あるいは図７に示したように、送信側の第１の無線通信機器（図１、図２のＢＴ送信機２。以下、同様）が、新規な第２の無線通信機器（図１、図２のＢＴヘッドフォン３ａ、３ｂ。図８ではＢＴヘッドフォン３）の登録を行う手段（図１ではＢＴ送信機２。図２ではメインＣＰＵ２４、ＲＡＭ２５、ＥＥＰＲＯＭ２６。図６ではＳ６１。図７ではＳ７１とＳ７３）と、不要な第３の無線通信機器（図１、図２のＢＴヘッドフォン３ａ、３ｂのいずれか。図８ではＢＴヘッドフォン２）の登録情報を削除する手段（図１ではＢＴ送信機２。図２ではメインＣＰＵ２４、ＲＡＭ２５、ＥＥＰＲＯＭ２６。図６ではＳ６３。図７ではＳ７２とＳ７４）とを有する、という構成になっている。  
また、本実施の形態の無線通信方法は、送信側の第１の無線通信機器により新規な第２の無線通信機器の登録を行う工程と、不要な第３の無線通信機器の登録情報を削除する工程とを有する、という構成になっている。
【００２９】
上記特許文献１におけるオーディオプレーヤとヘッドホンをBluetooth接続して音楽転送を行うシステムでは、オーディオプレーヤとヘッドホンをどのような方法で登録するかが明言されておらず、ヘッドホンが故障して新しい物と交換しようとした場合、ヘッドホンを登録する手段がないため、交換することができなかった。これに対して本実施の形態では上記のような構成によりヘッドホンを登録する手段を有するので、ＨＭＩが無い無線通信機器（ＢＴ機器）やＨＭＩの機能が制限されている無線通信機器が故障した場合でも、新しい無線通信機器との交換が可能になる。
【００３０】
また、図６に示したように、送信側の第１の無線通信機器が、新規な第２の無線通信機器（図１、図２のＢＴヘッドフォン３ａ、３ｂ）の登録を行う手段（図６のＳ６１。図１ではＢＴ送信機２。図２ではメインＣＰＵ２４、ＲＡＭ２５、ＥＥＰＲＯＭ２６）と、前記第１の無線通信機器により無線通信リンクを一定時間監視する手段（図６のＳ６２。図１ではＢＴ送信機２。図２ではメインＣＰＵ２４）と、該一定時間の経過後、無線通信リンクが確立しない第３の無線通信機器（図１、図２のＢＴヘッドフォン３ａ、３ｂのいずれか）の登録情報を削除する手段（図６のＳ６３。図１ではＢＴ送信機２。図２ではメインＣＰＵ２４、ＲＡＭ２５、ＥＥＰＲＯＭ２６）とを有する、という構成になっている。このような構成により、ＨＭＩが無い無線通信機器やＨＭＩの機能が制限されている無線通信機器が故障した場合でも、新しい無線通信機器との交換が可能になる。
【００３１】
また、図７、図８に示したように、送信側の第１の無線通信機器が、新規な第２の無線通信機器（図８のＢＴヘッドフォン３）の登録を行う手段（図７のＳ７１とＳ７３。図１ではＢＴ送信機２。図２ではメインＣＰＵ２４、ＲＡＭ２５、ＥＥＰＲＯＭ２６）と、前記第１の無線通信機器に登録されている第３の無線通信機器（図８のＢＴヘッドフォン１、２）の登録情報を登録順に削除する手段（図７のＳ７２とＳ７４。図１ではＢＴ送信機２。図２ではメインＣＰＵ２４、ＲＡＭ２５、ＥＥＰＲＯＭ２６）とを有する、という構成になっている。登録順とは、登録の古い順でもよいし、新しい順でもよい。このような構成により、ＨＭＩが無い無線通信機器やＨＭＩの機能が制限されている無線通信機器が故障した場合でも、新しい無線通信機器との交換が可能になる。
【００３２】
さらに、図４に示したように、送信側の第１の無線通信機器により問い合わせと検索対象の名前（ＢＴデバイス名）の検索を行う手段（図４のＳ４１。図１ではＢＴ送信機２。図２ではメインＣＰＵ２４、ＲＡＭ２５、ＥＥＰＲＯＭ２６）と、応答があった第２の無線通信機器（図１、図２のＢＴヘッドフォン３ａ、３ｂ）の名前を確認する手段（図４のＳ４４。図１ではＢＴ送信機２。図２ではメインＣＰＵ２４、ＲＡＭ２５、ＥＥＰＲＯＭ２６）と、前記第２の無線通信機器の名前が検索対象である名前と一致した場合、該第２の無線通信機器に対し、呼び出しと認証を行い、第２の無線通信機器の登録を行う手段（図４のＳ４６。図１ではＢＴ送信機２。図２ではメインＣＰＵ２４、ＲＡＭ２５、ＥＥＰＲＯＭ２６）とを有する、という構成になっている。  
また、本実施の形態の無線通信方法は、送信側の第１の無線通信機器により問い合わせと検索対象の名前の検索を行う工程と、応答があった第２の無線通信機器の名前を確認する工程と、前記第２の無線通信機器の名前が検索対象である名前と一致した場合、該第２の無線通信機器に対し、呼び出しと認証を行い、第２の無線通信機器の登録を行う工程とを有する、という構成になっている。
【００３３】
上記特許文献１におけるオーディオプレーヤとヘッドホンをBluetooth接続して音楽転送を行うシステムでは、オーディオプレーヤとヘッドホンをどのような方法で登録するかが明言されていない。また、この従来技術では、ユーザが操作するスイッチとして、オーディオプレーヤ側はＦＦ（早送り）、ＲＥＱ（巻戻し）、ＰＬＡＹ（再生）、ＳＴＯＰ（停止）、音量調整、電源ＯＮ／ＯＦＦを持ち、ヘッドホン側は電源ＯＮ／ＯＦＦを持っている。従って、このシステムでは、オーディオプレーヤとヘッドホンは、ＢＴ機器登録用のＨＭＩを持っておらず、あるいはＨＭＩの機能も制限されているため、ＢＴ機器の登録ができなかった。これに対して本実施の形態では、上記のような構成によりＨＭＩが無い無線通信機器やＨＭＩの機能が制限されている無線通信機器の場合でも、該無線通信機器の登録が可能になる。なお、ハンズフリーシステムにおけるハンズフリー機器と携帯電話を登録する方法が、ＣＣＡＰ（Car-Communication-Application-Promotion）が発行している「Bluetooth Hands-Free Profile Application Guideline Ver1.0 June, 20, 2003」の「6.2.1.1 Registration from the AG」に規定されているが、この方法では、前述のようにマスター及びスレーブをユーザが操作して登録を行うため、ＨＭＩが無いと登録できなかった。これに対して本実施の形態では、上記のような構成によりマスターのみをユーザが操作して登録を行うことができ、ＨＭＩが無い無線通信機器やＨＭＩの機能が制限されている無線通信機器でも、該無線通信機器の登録が可能になる。
【００３４】
なお、以上説明した実施の形態は、本発明の理解を容易にするために記載されたものであって、本発明を限定するために記載されたものではない。したがって、上記実施の形態に開示された各要素は、本発明の技術的範囲に属する全ての設計変更や均等物をも含む趣旨である。例えば、本発明に使用する無線通信として上記実施の形態ではBluetoothを使用したが、赤外線やその他の無線を用いることができることは言うまでもない。  
また、特許請求の範囲における各構成要素と、発明の実施の形態における各構成要素との対応について説明すると、実施の形態の図１、図２のＢＴ送信機２が、特許請求の範囲の送信側の第１の無線通信機器に、図１、図２のＢＴヘッドフォン３ａ、３ｂ、図８のＢＴヘッドフォン３が新規な第２の無線通信機器に、図１のＢＴ送信機２、図２のメインＣＰＵ２４、ＲＡＭ２５、ＥＥＰＲＯＭ２６、図６のＳ６１、図７のＳ７１とＳ７３が登録を行う手段に、図１、図２のＢＴヘッドフォン３ａ、３ｂのいずれか、図８のＢＴヘッドフォン２が不要な第３の無線通信機器に、図１のＢＴ送信機２、図２のメインＣＰＵ２４、ＲＡＭ２５、ＥＥＰＲＯＭ２６、図６のＳ６３、図７のＳ７２とＳ７４が登録情報を削除する手段に、図６のＳ６２、図１のＢＴ送信機２、図２のメインＣＰＵ２４が無線通信リンクを一定時間監視する手段に、図４のＳ４１、図１のＢＴ送信機２、図２のメインＣＰＵ２４、ＲＡＭ２５、ＥＥＰＲＯＭ２６が問い合わせと検索対象の名前の検索を行う手段に、図４のＳ４４、図１のＢＴ送信機２、図２のメインＣＰＵ２４、ＲＡＭ２５、ＥＥＰＲＯＭ２６が名前を確認する手段に、図４のＳ４６、図１のＢＴ送信機２、図２のメインＣＰＵ２４、ＲＡＭ２５、ＥＥＰＲＯＭ２６が呼び出しと認証を行い、第２の無線通信機器の登録を行う手段にそれぞれ対応する。
【図面の簡単な説明】
【００３５】
【図１】本発明の実施の形態の無線通信装置のシステム構成を示す図である。
【図２】本発明の実施の形態の無線通信装置の回路構成を示す図である。
【図３】本発明の実施の形態の処理の概要を示す図である。
【図４】本発明の実施の形態のＢＴ機器の登録処理を示す図である。
【図５】本発明の実施の形態のＢＴ機器の接続処理を示す図である。
【図６】本発明の実施の形態のＢＴ機器の交換処理を示す図である。
【図７】本発明の実施の形態のＢＴ機器の別の交換処理を示す図である。
【図８】図７の交換処理におけるＢＴ送信機のメモリの状態を示す図である。
【符号の説明】
【００３６】
１…ＤＶＤプレイヤ、ＣＤプレイヤ、ナビゲーションシステム等
２…ＢＴ送信機            ３ａ、３ｂ…ＢＴヘッドホン
１３ａ、１３ｂ…Bluetooth受信部
２０…アンテナ                    ２１…ＲＦ部
２２…ＢＢ部                      ２３…Bluetooth用ＣＰＵ
２４…メインＣＰＵ                ２５…ＲＡＭ
２６…ＥＥＰＲＯＭ                ２７…Ａ／Ｄ部
３０…アンテナ                    ３１…ＲＦ部
３２…ＢＢ部                      ３３…Bluetooth用ＣＰＵ
３４…メインＣＰＵ                ３５…ＲＡＭ
３６…ＥＥＰＲＯＭ                ３７…Ｄ／Ａ部
３８…スピーカ                    ３９…操作スイッチ部
１００…音楽データ（音声信号）
２００…Bluetoothで送信される音楽データ
【図１】
2006222595.tif 000003
【図２】
2006222595.tif 000004
【図３】
2006222595.tif 000005
【図４】
2006222595.tif 000006
【図５】
2006222595.tif 000007
【図６】
2006222595.tif 000008
【図７】
2006222595.tif 000009
【図８】
2006222595.tif 000010